(57)【要約】【課題】  遊技店から回収された遊技機から取り外された施錠装置をリサイクルする際の作業効率を高めることができる管理装置及び該管理装置により管理される施錠装置を備えた遊技機を提供すること。【解決手段】  遊技機にコード可変式のシリンダ錠９を用いるとともに、シリンダ錠９にテストコードを設定して出荷することで、当該遊技機を入荷した遊技店では、キーコードを任意に設定することができる。錠管理コンピュータ１００は、シリンダ錠９に対して個々に割り当てられた錠ＩＤに対応付けて、当該シリンダ錠９が取り付けられた遊技機の出荷先の遊技店が所有するホールキー１０を特定可能なキーＮｏ．が登録された錠管理データベースを備え、リサイクル処理業者から回収されたシリンダ錠９の錠ＩＤを読み取ることで、読み取った錠ＩＤに対応して登録されているキーＮｏ．を抽出し、出力する。これによりシリンダ錠９に設定されたキーコードを解除するのに必要なマスターキーを容易に特定できるようになる。【選択図】  図９
2005124849.tif 000002
【特許請求の範囲】
【請求項１】
遊技機本体に対して取り付けられた開閉扉の施錠及び解錠を行うための施錠装置であり、
該施錠装置に特定のキーコードが設定されていない未設定状態において、予め遊技店が所有する鍵を用いて前記キーコードの設定操作を行うことにより当該鍵のキーコードが設定され、該設定されたキーコードに対応した鍵を用いてのみ解錠を行うことが可能な設定状態とするキーコード設定手段と、
前記施錠装置に設定されているキーコードに対応した鍵を用いて前記キーコードの解除操作を行うことにより前記設定状態を前記未設定状態に戻すことが可能なキーコード解除手段と、
を含む施錠装置の管理を行う管理装置及び該管理装置にて管理される施錠装置を備える遊技機であって、
前記管理装置は、
前記施錠装置を個々に特定可能な施錠装置特定情報及び当該遊技機の出荷先の遊技店が所有する鍵に形成されたキーコードを特定可能なキーコード特定情報を入力する入力手段と、
該入力手段にて入力された前記施錠装置特定情報と前記キーコード特定情報とを対応付けて記憶する記憶手段と、
遊技店から回収された前記施錠装置の前記施錠装置特定情報を指定する施錠装置特定情報指定手段と、
該施錠装置特定情報指定手段にて指定された施錠装置特定情報に対応付けて前記記憶手段に記憶されている前記キーコード特定情報を抽出する抽出手段と、
該抽出手段にて抽出された前記キーコード特定情報を出力する出力手段と、
を備える、
ことを特徴とする管理装置及び該管理装置にて管理される施錠装置を備える遊技機。
【請求項２】
前記施錠装置は、該施錠装置の施錠装置特定情報が読取可能に記録された情報記録部を有し、
前記施錠装置特定情報指定手段は、前記情報記録部に記録された施錠装置特定情報を読取可能な読取手段を含み、該読取手段にて読み取った前記施錠装置特定情報が指定される、
請求項１に記載の管理装置。
【請求項３】
前記記憶手段は、前記施錠装置特定情報に対応付けて、該施錠装置特定情報により特定される施錠装置の再利用履歴を記憶し、
前記抽出手段は、前記施錠装置特定情報指定手段にて指定された施錠装置特定情報に対応付けて前記記憶手段に記憶されている前記再利用履歴を抽出し、
前記出力手段は、前記抽出手段にて抽出された前記再利用履歴を出力する、
請求項１または２に記載の管理装置。
【請求項４】
前記記憶手段は、前記施錠装置特定情報に対応付けて、該施錠装置特定情報により特定される施錠装置の再利用履歴を記憶し、
前記抽出手段は、前記施錠装置特定情報指定手段にて指定された施錠装置特定情報に対応付けて前記記憶手段に記憶されている前記再利用履歴を抽出し、
前記管理装置は、前記抽出手段にて抽出された再利用履歴に基づき当該施錠装置特定情報により特定される施錠装置が再利用可能か否かを判定する判定手段を更に備え、
前記出力手段は、前記判定手段による判定結果を出力する、
請求項１〜３のいずれかに記載の管理装置。
【請求項５】
前記記憶手段は、前記施錠装置特定情報に対応付けて、該施錠装置特定情報により特定される施錠装置を備える遊技機が出荷された遊技店の地域を特定可能な地域特定情報を記憶し、
前記施錠装置特定情報指定手段は、地域を指定可能であり、
前記抽出手段は、該施錠装置特定情報指定手段にて地域が指定されたときに、該指定された地域に対応する地域特定情報が対応付けて記憶されている前記キーコード特定情報から前記施錠装置特定情報指定手段にて指定された施錠装置特定情報に対応付けて記憶されている前記キーコード特定情報を抽出する、
請求項１〜４のいずれかに記載の管理装置。
【請求項６】
前記遊技機は、前記施錠装置が前記未設定状態で遊技店に出荷されるとともに、前記施錠装置の鍵穴に前記未設定状態である旨を示す封印部材が貼り付けられた状態で遊技店に出荷される請求項１〜５のいずれかに記載の遊技機。
【請求項７】
前記開閉扉は、閉状態において前記遊技機本体側に係合する係合部材と、
前記施錠装置の施解錠動作が行われたときのみ前記係合部材による係合または係合の解除が行われるように前記施錠装置と前記係合部材とを連結する連結機構と、
を備える請求項１〜６のいずれかに記載の遊技機。
【発明の詳細な説明】
【技術分野】
【０００１】
本発明は、遊技機本体に対して取り付けられた開閉扉の施錠及び解錠を行うための施錠装置の管理を行う管理装置及び該管理装置にて管理される施錠装置を備える遊技機に関する。
【背景技術】
【０００２】
従来から、遊技店に設置されて使用されるパチンコ機やスロットマシン等の遊技機に搭載される部品の製造番号やＩＤ等を管理する管理装置が提案されている。例えば、遊技機の制御を担う遊技用演算処理装置に書き込まれたチップＩＤや、当該チップＩＤの遊技用演算処理装置が実装された遊技制御基板を収納する基板ケースに割り当てられたユニットＩＤを記憶して管理する管理装置が提案されている（特許文献１参照）。
【０００３】
一方で、遊技店に設置されて使用されるパチンコ機やスロットマシン等の遊技機には、その前面に設けられた開閉扉が不正に開放されてしまうことを防止するためにシリンダ錠等の施錠装置が設けられているのが一般的であるが、遊技店では、セキュリティーの確保及び店員が多くの鍵を持ち歩く必要性を軽減するために、メーカー出荷時に設けられている施錠装置を、店舗専用の施錠装置に変更して使用されることが多いが、この場合、施錠装置の交換に多くの労力を要する。このため、施錠装置に設定されている鍵のコードをリセットし、新たな鍵のコードに変更するためのコードリセット機構を設け、当該施錠装置の解錠及び施錠操作に使用できる鍵を変更することが可能な可変式の施錠装置を遊技機に適用することが提案されている（例えば、特許文献２参照）。
【０００４】
【特許文献１】特開２００２−８５７９４号公報（第１頁）
【特許文献２】特開平７−７１１４４号公報（第５頁、第１２、１３図）
【発明の開示】
【発明が解決しようとする課題】
【０００５】
近年においては、遊技機の入替の頻度が高まってきており、資源の有効利用及びコストの削減を図る観点から、遊技店から撤去された遊技機を回収し、回収された遊技機の部品をリサイクルすることが好ましい。このため、前述した可変式の施錠装置を用いた遊技機の場合には、回収した遊技機から取り外された施錠装置のコードをリセットし、新たな鍵のコードを設定することが可能な状態に戻して新しい遊技機の施錠装置に取り付けて再利用することが考えられる。可変式の施錠装置を遊技機に用いる場合には、セキュリティーを確保するためにも、一度鍵のコードが設定された状態においては、当該コードの鍵を用いてのみコードのリセットを行える構成とすることが好ましいが、この場合には、メーカー側で施錠装置を回収してもコードがリセットされていないときに、当該施錠装置が取り付けられた遊技機を回収した遊技店を調べて、当該遊技店が用いている鍵のコードを特定し、そのコードと同一の鍵を用いてコードをリセットする必要がある。しかしながら、遊技店から回収された遊技機の施錠装置は回収業者によって取り外され、施錠装置単体でメーカー側に回収されることが多く、施錠装置単体では、当該施錠装置の製造番号やＩＤが前述したような管理装置によって管理されている場合でも、当該施錠装置が取り付けられていた遊技機を回収した遊技店を特定することができないため、施錠装置のリサイクルに係る作業に多くの労力が必要となってしまうという問題があった。
【０００６】
本発明は、このような問題点に着目してなされたものであり、遊技店から回収された遊技機から取り外された施錠装置をリサイクルする際の作業効率を高めることができる管理装置及び該管理装置により管理される施錠装置を備えた遊技機を提供することを目的とする。
【課題を解決するための手段】
【０００７】
上記課題を解決するために、本発明の請求項１に記載の管理装置及び該管理装置にて管理される施錠装置を備える遊技機は、遊技機本体に対して取り付けられた開閉扉の施錠及び解錠を行うための施錠装置であり、
該施錠装置に特定のキーコードが設定されていない未設定状態において、予め遊技店が所有する鍵を用いて前記キーコードの設定操作を行うことにより当該鍵のキーコードが設定され、該設定されたキーコードに対応した鍵を用いてのみ解錠を行うことが可能な設定状態とするキーコード設定手段と、
前記施錠装置に設定されているキーコードに対応した鍵を用いて前記キーコードの解除操作を行うことにより前記設定状態を前記未設定状態に戻すことが可能なキーコード解除手段と、
を含む施錠装置の管理を行う管理装置及び該管理装置にて管理される施錠装置を備える遊技機であって、
前記管理装置は、
前記施錠装置を個々に特定可能な施錠装置特定情報及び当該遊技機の出荷先の遊技店が所有する鍵に形成されたキーコードを特定可能なキーコード特定情報を入力する入力手段と、
該入力手段にて入力された前記施錠装置特定情報と前記キーコード特定情報とを対応付けて記憶する記憶手段と、
遊技店から回収された前記施錠装置の前記施錠装置特定情報を指定する施錠装置特定情報指定手段と、
該施錠装置特定情報指定手段にて指定された施錠装置特定情報に対応付けて前記記憶手段に記憶されている前記キーコード特定情報を抽出する抽出手段と、
該抽出手段にて抽出された前記キーコード特定情報を出力する出力手段と、
を備える、
ことを特徴としている。
この特徴によれば、例えば、施錠装置が未設定状態の遊技機を遊技店に出荷することで、遊技店では当該遊技店が予め所有する鍵を使用して施錠装置に当該鍵のキーコードを設定することができるため、遊技店毎に、遊技機の施錠装置に使用できる鍵を自由に設定することができる。また、管理装置にて、遊技機の出荷時に当該遊技機に設けられた施錠装置を特定可能な施錠装置特定情報と、当該遊技機が出荷された遊技店が使用している鍵に対応したキーコードを特定可能なキーコード特定情報と、が対応付けて管理されているため、遊技店から回収された遊技機から取り外された施錠装置がキーコードが設定されたままの状態で回収された場合でも、当該施錠装置の施錠装置特定情報を指定するのみで当該施錠装置特定情報の施錠装置が設けられた遊技機を出荷した遊技店が使用している鍵に対応したキーコード特定情報、すなわちキーコードを未設定状態に戻すのに必要な鍵のキーコードを特定できるようになるため、キーコードが設定された状態で回収された施錠装置のリサイクルに係る作業効率を高めることができる。
【０００８】
本発明の請求項２に記載の管理装置は、請求項１に記載の管理装置であって、
前記施錠装置は、該施錠装置の施錠装置特定情報が読取可能に記録された情報記録部を有し、
前記施錠装置特定情報指定手段は、前記情報記録部に記録された施錠装置特定情報を読取可能な読取手段を含み、該読取手段にて読み取った前記施錠装置特定情報が指定される、
ことを特徴とする。
この特徴によれば、読取手段にて情報記録部に記録された施錠装置特定情報を読み取らせるのみで、施錠装置特定情報を指定することができるため、施錠装置のリサイクルに係る作業を一層簡便に行うことができる。
更に、読取手段は、情報記録部に記録された施錠装置特定情報を非接触にて読取可能な非接触式の読取手段であることが好ましく、このようにすれば、読取作業を更に効率的に行うことができる。
尚、情報記録部とは、例えば、施錠装置特定情報が記録されたバーコードや２次元コード等の情報記録シンボルや施錠装置特定情報が記録されたＩＣタグ等が該当し、読取手段とは、前述したバーコードや２次元コードを読取可能なバーコードリーダや、ＩＣタグの記録情報の読み取りが可能なＩＣタグリーダ等が該当する。
【０００９】
本発明の請求項３に記載の管理装置は、請求項１または２に記載の管理装置であって、
前記記憶手段は、前記施錠装置特定情報に対応付けて、該施錠装置特定情報により特定される施錠装置の再利用履歴を記憶し、
前記抽出手段は、前記施錠装置特定情報指定手段にて指定された施錠装置特定情報に対応付けて前記記憶手段に記憶されている前記再利用履歴を抽出し、
前記出力手段は、前記抽出手段にて抽出された前記再利用履歴を出力する、
ことを特徴とする。
この特徴によれば、管理装置にて遊技機に設けられた施錠装置の利用期間やリサイクルした回数等の再利用履歴が施錠装置特定情報に対応付けて管理され、指定した施錠装置特定情報に対応する再利用履歴が出力されるため、回収した施錠装置の消耗度合いを判断して再利用に適するか否かを判定することができる。
【００１０】
本発明の請求項４に記載の管理装置は、請求項１〜３のいずれかに記載の管理装置であって、
前記記憶手段は、前記施錠装置特定情報に対応付けて、該施錠装置特定情報により特定される施錠装置の再利用履歴を記憶し、
前記抽出手段は、前記施錠装置特定情報指定手段にて指定された施錠装置特定情報に対応付けて前記記憶手段に記憶されている前記再利用履歴を抽出し、
前記管理装置は、前記抽出手段にて抽出された再利用履歴に基づき当該施錠装置特定情報により特定される施錠装置が再利用可能か否かを判定する判定手段を更に備え、
前記出力手段は、前記判定手段による判定結果を出力する、
ことを特徴とする。
この特徴によれば、管理装置にて遊技機に設けられた施錠装置の利用期間やリサイクルした回数等の再利用履歴が施錠装置特定情報に対応付けて管理されるとともに、指定した施錠装置特定情報に対応する再利用履歴に基づき、当該施錠装置特定情報により特定される施錠装置の利用期間が消耗期間に到達しているか否かやリサイクル回数が消耗回数に到達しているか否か等、当該施錠装置が再利用可能か否かが判定され、当該施錠装置が再利用可能か否かの判定結果が指定した施錠装置特定情報に対応付けて出力されるため、出力された判定結果に基づいて対応する施錠装置特定情報により特定される施錠装置が再利用に適しているか否かを容易に判定することができる。
【００１１】
本発明の請求項５に記載の管理装置は、請求項１〜４のいずれかに記載の管理装置であって、
前記記憶手段は、前記施錠装置特定情報に対応付けて、該施錠装置特定情報により特定される施錠装置を備える遊技機が出荷された遊技店の地域を特定可能な地域特定情報を記憶し、
前記施錠装置特定情報指定手段は、地域を指定可能であり、
前記抽出手段は、該施錠装置特定情報指定手段にて地域が指定されたときに、該指定された地域に対応する地域特定情報が対応付けて記憶されている前記キーコード特定情報から前記施錠装置特定情報指定手段にて指定された施錠装置特定情報に対応付けて記憶されている前記キーコード特定情報を抽出する、
ことを特徴とする。
この特徴によれば、回収した施錠装置の施錠装置特定情報とともに、施錠装置が回収された地域が指定されることで、キーコード特定情報の検索対象を絞り込むことが可能となるため、管理装置の処理不可を軽減できるうえに、キーコード特定情報の抽出速度を大幅に向上させることができる。
【００１２】
本発明の請求項６に記載の遊技機は、請求項１〜５のいずれかに記載の遊技機であって、
前記遊技機は、前記施錠装置が前記未設定状態で遊技店に出荷されるとともに、前記施錠装置の鍵穴に前記未設定状態である旨を示す封印部材が貼り付けられた状態で遊技店に出荷されることを特徴とする。
この特徴によれば、遊技機が遊技店に入荷された際に、施錠装置が未設定状態、すなわち遊技店が所有する鍵に対応したキーコードを設定できる状態である旨を認識させることができる。
尚、封印部材は、前記施錠装置の製造後初めて遊技機に取り付けられて遊技店に出荷されるときのみ貼り付けられるようにしても良く、このようにすれば、当該施錠装置が新品である旨を認識させることができる。
【００１３】
本発明の請求項７に記載の遊技機は、請求項１〜６のいずれかに記載の遊技機であって、
前記開閉扉は、閉状態において前記遊技機本体側に係合する係合部材と、
前記施錠装置の施解錠動作が行われたときのみ前記係合部材による係合または係合の解除が行われるように前記施錠装置と前記係合部材とを連結する連結機構と、
を備えることを特徴とする。
この特徴によれば、鍵を用いて解錠動作を行ったときのみ係合部材の係合が解除されるため、例えば、開閉扉と遊技機本体の隙間から針金等を使うことにより強引に係合部材の係合を解除させて不正に開閉扉が開放されてしまうことを防止できる。
【発明を実施するための最良の形態】
【００１４】
本発明の実施例を以下に説明する。
【００１５】
図１には、本発明が適用された遊技機の一例としてのスロットマシン１が示されている。スロットマシン１は、前面が開口する箱状に形成された本体２と、本体２の前面開口を開閉自在とする前面扉３と、から構成されている。本体２内には、外周に複数種類の図柄が配列されたリール４Ｌ、４Ｃ、４Ｒ、貯留されたメダルを払出すためのメダル払出装置５、電源基板が内蔵された電源ユニット６、その他各種装置や基板等が配設されている。
【００１６】
前面扉３の前面側（遊技者に対向する対向面側）には、特に図示はしないが、ゲームを開始するためのスタートスイッチ、リール４Ｌ、４Ｃ、４Ｒを停止するためのスタートスイッチ、メダル投入部等が配設されており、裏面側には、ゲームに関連する演出を行うための演出装置等の各種装置や基板等が配設されている。
【００１７】
また、前面扉３には、本体２内に配置されたリール４Ｌ、４Ｃ、４Ｒを前面から透視可能とするための透視窓７が形成されているとともに、該前面扉３を本体２の前面開口を閉塞した状態で施錠するための施錠機構８が設けられている。
【００１８】
このように構成されるスロットマシン１は、１ゲームに対して所定数の賭数を設定することによりゲームが開始可能となるとともに、各々が識別可能な複数種類の図柄を変動表示可能な可変表示装置としてのリール４Ｌ、４Ｃ、４Ｒの表示結果が導出表示されることにより１ゲームが終了し、該リール４Ｌ、４Ｃ、４Ｒの表示結果に応じて入賞が発生可能とされている。
【００１９】
次に、前記施錠機構８の詳細を図２〜図４に基づいて以下に説明する。尚、図２（ａ）は施錠機構８の裏面図であり、図２（ｂ）は（ａ）の側面図であり、図３は図２（ｂ）の要部拡大図、図４は図２（ａ）の要部拡大図である。
【００２０】
本実施例における施錠機構８は、前面扉３を施解錠するためのキーが挿入されるキー挿入穴９ａ（図２（ｂ）参照）を前面に有するシリンダ錠９と、該シリンダ錠９にリンク機構１２を介して連動自在に設けられた第１作動板１３及び第２作動板１４と、これらシリンダ錠９、リンク機構を構成するカム１７、第１作動板１３及び第２作動板１４を一体化するための補強板１５と、から主に構成されており、シリンダ錠９のキー挿入穴９ａに差し込んだキーを、上下方向を向くキー差込位置（差込基準マークＭ１とＭ２とが対向する位置（図５、図６参照））から時計回りに回転させることで第１作動板１３が作動し、これにより施錠状態が解除されて前面扉３を開放できるようになっている。また、前記キーを前記キー差込位置から反時計回りに回転させることで第２作動板１４が作動し、これにより後述するリセットセンサ２５によりスロットマシン１のエラー状態等を解除することができるようになっている。
【００２１】
ここで、施錠機構８の構造を具体的に説明すると、補強板１５は、前片１５ａ及び側片１５ｂとを有する横断面略Ｌ字状の帯状の金属板材からなり、前面扉３を補強するために前面扉３の裏面側の一端縁部に取り付けられており、前面扉３への取付け状態において、該補強板１５の所定箇所に取付けられたシリンダ錠９の前面のキー挿入穴９ａが前面扉３の前面側に望むようになっている。
【００２２】
シリンダ錠９は、特に図３に示されるように、補強板１５の前片１５ａに形成された丸穴を通してキー挿入穴９ａを前面側に望ませた状態で、シリンダ錠９の本体後端に形成された取付板９ｂをネジ１６により止着することにより補強板１５に取り付けられており、ネジ１６を取り外すことでシリンダ錠９を補強板１５から取り外すことができるようになっている。
【００２３】
シリンダ錠９から取付板９ｂの後面側に延設された錠軸９ｃの後端には、図３及び図４に示されるように、リンク機構を構成するカム１７が固着されている。このカム１７は、外周部に第１作動板１３に連係する第１突出部１７ａと、第２作動板１４に連係する第２突出部１７ｂと、がそれぞれ外向きに形成された板部材からなり、錠軸９ｃの回動により第１突出部１７ａ、第２突出部１７ｂが錠軸９ｃ軸周りに回動するように錠軸９ｃに固着されている。
【００２４】
尚、本実施例におけるシリンダ錠９は、特定のキーコードが設定されていない未設定状態（テストコードが設定された状態ともいう）において、例えば遊技店が所有する所定のキー（例えばホールキー１０）を用いてキーコードの設定操作を行うことにより当該ホールキー１０のキーコードを設定し、該設定したキーコードのホールキー１０を用いてのみ解錠を行うことが可能な設定状態とするためのキーコード設定機構と、該シリンダ錠９に設定されているキーコードのホールキー１０を用いて前記キーコードの解除操作を行うことにより、前記設定状態を前記未設定状態に戻し、前記ホールキー１０以外のキーによる施解錠を行うことを可能とするキーコード解除機構とを備える、いわゆる従来公知の可変式錠が適用されている。このキーコードの設定操作及び設定解除操作については後述することとする。
【００２５】
また、本実施例におけるシリンダ錠９は、設定されたキーコードを解除する際に操作される設定解除操作部１８が本体後面側に設けられている（図５参照）。さらに、シリンダ錠９は、所定のキーがキー挿入穴９ａに差し込まれたときに錠軸９ｃの軸周りの回動を規制する回動規制機構を備えている。また、取付板９ｂ裏面側で、カム１７により遮蔽されていない位置に、シリンダ錠９に対して個々に割り当てられた錠ＩＤが後述する２次元コードリーダ１０６にて非接触にて読取可能に記録された２次元コード（図４参照）が添付されている。このように２次元コードを、カム１７により遮蔽されない位置に設けることにより、当該２次元コードの読取作業を容易に行うことができる。
【００２６】
第１作動板１３及び第２作動板１４は、補強板１５の側片１５ｂの内面側に昇降自在に設けられている。第１作動板１３の上下端部には、本体２の側端縁部の上下所定箇所にそれぞれ設けられた係止片１９（図１、図２参照）に係脱自在な下向きフック状の係止爪２０が軸部材２２を介して枢着されている。これら係止爪２０は、特に図２に示されるように補強板１５から後向きに突設されているとともに、軸部材２１を介して側片１５ｂに回動自在に設けられている。
【００２７】
一方、第１作動板１３は、一端が前片１５ａに係止された引張りバネ２３を介して常時上方に向けて付勢されているとともに、係止爪２０が係止片１９に係止される係止位置（図２（ｂ）中実線位置）にて上昇規制されている。すなわち、第１作動板１３が前記係止位置にある状態から下降すると、係止爪２０が図２（ｂ）中点線に示される係止解除位置まで回動されるとともに、この係止解除位置から係止位置までは引張りバネ２３の付勢力により上昇するようになっている。
【００２８】
また、第１作動板１３における前記第１突出部１７ａに対応する箇所には、第１突出部１７ａが遊挿される切欠凹部２４が形成されている。具体的には、図４に示されるように、カム１７が図４中における反時計回りに回動されたとき、すなわち、キーによる解錠操作（時計回りの操作）がなされたときには、第１突出部１７ａの下部が切欠凹部２４の下端縁２４ａに当接し、この第１突出部１７ａに押圧されて第１作動板１３が下降され、係止爪２０が係止状態から係止解除状態になる。
【００２９】
また、係止爪２０が係止状態にあるときに第１作動板１３に対して下降方向に向けた何らかの外力が加えられると、第１突出部１７ａの上部に切欠凹部２４の上端縁２４ｂが当接するようになっている。このとき、シリンダ錠９のキー挿入穴９ａにキーが差し込まれていなければ、前述したように錠軸９ｃは回動不能状態であるため、第１作動板１３の下降、すなわち、係止爪２０による係止状態の解除が規制されることになる。
【００３０】
よって、施錠機構８により前面扉３が施錠された状態においては、キーを用いてのみ係止爪２０の係合が解除されるため、例えば、外部から前面扉３と本体２との間に針金等を差込み、これにより第１作動板１３を強制的に下降させて係止爪２０による係止片１９への係止状態を解除して前面扉３を開放するといった不正行為を効果的に防止できる。
【００３１】
次に、第２作動板１４の所定箇所には、スロットマシン１のエラー状態等を解除するためのリセットセンサ２５の透光部と受光部との間を遮蔽するための遮蔽片２６が設けられており、第２作動板１４が上昇することによりリセットセンサ２５の透光部と受光部との間が遮蔽片２６により遮蔽されてリセット信号が出力されるようになっている。
【００３２】
第２作動板１４は、一端が前片１５ａに係止された引張りバネ２７を介して常時下方に向けて付勢されているとともに、リセットセンサ２５の透光部と受光部との間を遮蔽しない非遮蔽位置（図２（ｂ）中実線位置）にて下降規制されている。すなわち、第２作動板１４が前記非遮蔽位置から上昇すると、遮蔽片２６が図２（ｂ）中点線に示される遮蔽位置まで上昇され、この遮蔽位置から非遮蔽位置までは引張りバネ２７の付勢力により下降するようになっている。
【００３３】
また、第２作動板１４における前記第２突出部１７ｂに対応する箇所には、第２突出部１７ｂが遊挿される切欠凹部２８が形成されている。具体的には、図４に示されるように、カム１７が図４中における時計回りに回動されたとき、すなわち、キーによるリセット操作（反時計回りの操作）がなされたときには、第２突出部１７ｂの上部が切欠凹部２８の上端縁２８ａに当接し、この第２突出部１７ｂにより第２作動板１４が上昇され、リセットセンサ２５の透光部と受光部との間が遮蔽片２６により遮蔽され、遮蔽片２６の検出状態になる。
【００３４】
また、遮蔽片２６が非遮蔽位置にあるときに第２作動板１４に対して上昇方向に向けた何らかの外力が加えられると、第２突出部１７ｂの上部に切欠凹部２８の下端縁２８ｂが当接するようになっている。このとき、シリンダ錠９のキー挿入穴９ａにキーが差し込まれていなければ、前述したように錠軸９ｃは回動不能状態であるため、第２作動板１４の上昇、すなわち、遮蔽片２６によるリセットセンサ２５の透光部と受光部との間の遮蔽（リセット操作）が規制されることになる。
【００３５】
よって、施錠機構８により前面扉３が施錠された状態において、外部から前面扉３と本体２との間に針金等を差込み、これにより第２作動板１４を強制的に上昇させてリセットセンサ２５により遮蔽片２６を検出させてリセット操作するといった不正行為を効果的に防止できる。
【００３６】
次に、以上説明した施錠機構８によるキーコードの設定及び設定の解除操作方法を、図５及び図６に基づいて以下に説明する。
【００３７】
まず、キーコードの設定解除方法を説明すると、
（１）現在設定されているホールキー１０をキー挿入穴９ａに差し込んで、差込基準マークＭ１とＭ２とが対向するキー差込位置から時計回りに回転させ、前面扉３を開放する。
（２）ホールキー１０を前記キー差込位置まで戻すとともに、シリンダ錠９の裏面に設けられた設定解除操作部１８を押し下げて下方の設定解除位置に位置させ、この状態に保つ。
（３）ホールキー１０を前記キー差込位置から左右どちらかに半回転（１８０度）させ、差込基準マークＭ１とＭ２とが離れた設定解除位置でホールキー１０を抜く。
上記設定解除操作方法により、現在使用されているホールキー１０にて設定されているキーコードが解除されるとともに、テストコードが設定され、適宜テストキーによる施解錠操作が可能なキーコードの未設定状態となる。
【００３８】
次に、キーコードの設定方法を説明すると、
（１）現在のキー挿入穴９ａが差込基準マークＭ１とＭ２とが離れた設定解除位置であることを確認し、新たにキーコードを設定する新規のホールキー１０’を差し込む。
（２）差し込んだ状態から左右どちらかに半回転（１８０度）させ、キー挿入穴９ａを差込基準マークＭ１とＭ２とが対向するキー差込位置とする。
（３）前記キー差込位置でホールキー１０’を抜く。これにより設定解除操作部１８は下方の設定解除位置から上方の設定位置まで自動的に戻ることになり、この設定解除操作部１８が上方の設定位置にあることを確認することでキーコードの設定が終了する。
【００３９】
上記設定操作方法により、前記ホールキー１０とは別のホールキー１０’のキーコードが解除され、該ホールキー１０’のキーコードが設定された設定状態となる。また、これにより前述したテストキーによる解錠も不可能な状態となる。
【００４０】
次に、本発明が適用された管理装置としての錠管理コンピュータ１００について説明する。
【００４１】
錠管理コンピュータ１００は、シリンダ錠９を製造する錠メーカー等に設置されて使用されるものであり、図７に示すように、内部にてデータの送受を行うデータバス１０１に、当該コンピュータが実施する各種処理を行うＣＰＵ１０２、ワークメモリ等として使用されるＲＡＭ１０３、時刻情報や日付情報を出力するＲＴＣ（リアルタイムクロック）１０４、磁気ディスクや光磁気ディスク等の記憶装置１０５、前述した２次元コードの読取を非接触にて行う２次元コードリーダ１０６、キーボードやマウス等の入力装置１０７、各種情報を表示出力する表示装置１０８、ＣＤ−ＲＯＭ等の記録媒体に記録されたデータの読み出し等を行う記録媒体処理装置１０９、が接続された通常のコンピュータである。
【００４２】
記憶装置１０５には、錠管理コンピュータ１００が各種処理を行うための処理内容が記述された処理プログラムに加えて、シリンダ錠９に対して個々に割り当てられた錠ＩＤ毎に、当該錠ＩＤのシリンダ錠９が最初に取り付けられた遊技機が遊技店へ出荷された日付を示す初出荷日、当該錠ＩＤのシリンダ錠９が遊技機に取り付けられて遊技店へ出荷された回数を示す出荷回数、当該錠ＩＤのシリンダ錠９が取り付けられた遊技機の最新の出荷先を特定可能な出荷先ＩＤ、当該出荷先ＩＤにより特定される出荷先の所在地域、当該出荷先ＩＤにより特定される出荷先の遊技店が所有するホールキー１０のキーＮｏ．が各々対応付けて登録されている錠管理テーブル（図８参照）と、前述した出荷先ＩＤ毎に、当該出荷先ＩＤに対応する店舗名（遊技店名）、当該出荷先ＩＤにより特定される遊技店の所在地域、当該出荷先ＩＤにより特定される出荷先の遊技店が所有するホールキー１０のキーＮｏ．が各々対応付けて登録されている出荷先テーブル（図８参照）と、から構成される錠管理データベースが記憶されている。
【００４３】
本実施例の錠管理コンピュータ１００に搭載されたＣＰＵ１０２は、主に、遊技機メーカーから提供された記録媒体、詳しくはシリンダ錠９の錠ＩＤ毎に、当該錠ＩＤのシリンダ錠９を取り付けた遊技機の遊技店への出荷日、当該遊技機の出荷先の出荷先ＩＤからなる入力データが記録された記録媒体の記録情報に基づいて錠管理データベースの登録情報を更新するデータ更新処理と、遊技場から撤去された遊技機から取り外されて返却されてきたシリンダ錠９の２次元コードから読み出された錠ＩＤに基づいて当該錠ＩＤのシリンダ錠の再利用の可否判定及び当該錠ＩＤのシリンダ錠９の解除コード（回収時に設定されている可能性の高いキーコード）が形成されたホールキー１０のキーＮｏ．の特定を行うための読取判定処理と、を行う。
【００４４】
データ更新処理では、まず、遊技機メーカーから提供された記録媒体の記録情報を記録媒体処理装置１０９にて読み出し、読み出した錠ＩＤと一致する錠ＩＤを錠管理テーブルから抽出する。そして抽出した錠ＩＤに対応して初出荷日が登録されているかを確認し、初出荷日が登録されていなければ記録媒体より読み出した出荷日を錠管理テーブルから抽出した錠ＩＤに対応する初出荷日として登録する。次いで、錠管理テーブルから抽出した錠ＩＤに対応する出荷回数を１加算し、記録媒体より読み出した出荷先ＩＤを錠管理テーブルから抽出した錠ＩＤに対応する出荷先ＩＤとして登録するとともに、当該出荷先ＩＤと一致する出荷先ＩＤを出荷先テーブルから抽出し、抽出した出荷先ＩＤに対応して出荷先テーブルに登録されている所在地域及びキーＮｏ．を、錠管理テーブルから抽出した錠ＩＤに対応する出荷地域及びキーＮｏ．として登録する。
【００４５】
読取判定処理では、図９に示すように、まず、２次元コードリーダにて読み取ったシリンダ錠９の２次元コードを解析し（Ｓ１）、解析したデータに基づいて当該シリンダ錠の錠ＩＤを特定する（Ｓ２）。そして、入力装置１０７により回収地域が入力されるまで待機する（Ｓ３）。Ｓ３のステップにおいて回収地域が入力されると、錠管理テーブルからＳ３のステップにおいて入力された地域が登録されている錠ＩＤを抽出し（Ｓ４）、更にＳ４のステップで抽出した錠ＩＤからＳ２のステップにおいて特定した錠ＩＤに一致する錠ＩＤを抽出する（Ｓ５）。次いで、Ｓ５のステップにおいて抽出した錠ＩＤに対応して登録されている初出荷日と本日の日付に基づいて当該錠ＩＤのシリンダ錠９の利用期間を算出し（Ｓ６）、利用期間が３年を越えるか否かを確認し（Ｓ７）、利用期間が３年を越える場合には再利用不可と判定する（Ｓ１０）。また、Ｓ７のステップにおいて利用期間が３年未満であれば、Ｓ５のステップにおいて抽出した錠ＩＤに対応する出荷回数が１０回以上か否かを確認し（Ｓ８）、出荷回数が１０回以上であれば再利用不可と判定する（Ｓ１０）。また、Ｓ７のステップにおいて利用期間が３年未満であり、Ｓ８のステップにおいて出荷回数が１０回未満であれば再利用可と判定する（Ｓ９）。尚、本実施例では、利用期間が１０年を越えるか否か、及び出荷回数が５回以上か否かを判定し、利用期間が１０年を越えるか、出荷回数が５回以上のときに、再利用不可と判定するようになっているが、これら再利用の可否判定の基準となる利用期間や出荷回数は、シリンダ錠９の耐久性に応じて任意に変更可能である。更に、利用期間または出荷回数のどちらか一方に基づいて再利用の可否判定を行うようにしても良い。次いで、これら再利用の可否判定後、Ｓ５のステップにおいて抽出した錠ＩＤに対応するキーＮｏ．と再利用可否の判定結果等が表示される読取結果画面を表示装置１０８にて出力する（Ｓ１１）。尚、表示装置に出力された読取結果画面は、プリンタ１１０にて印刷出力することも可能である。
【００４６】
図１０は、Ｓ１１のステップにおいて表示装置１０８に出力された読取結果画面を示す図である。本実施例では、シリンダ錠９の２次元コードを２次元コードリーダ１０６にて読み取ることで、図１０に示すように、シリンダ錠９の２次元コードから読み取った錠ＩＤに対応付けて、当該錠ＩＤのシリンダ錠９の利用期間（当該シリンダ錠９の初出荷日から本日までの期間）及び出荷回数（当該シリンダ錠９を遊技機に取り付けて遊技店に出荷した回数）、これら利用期間や出荷回数に基づく再利用可否の判定結果、当該シリンダ錠９の解除コード（回収時に設定されている可能性の高いキーコード）が形成されたホールキー１０のキーＮｏ．が読取結果画面として表示装置１０８に出力されるようになっている。
【００４７】
次に、本実施例のシリンダ錠９の流通形態の一例を図１１に基づいて説明する。
【００４８】
まず、錠メーカーは、シリンダ錠９をテストコードが設定された状態、すなわちホールキー１０のキーコードが未設定であり、テストキーを用いて施錠及び解除を行うことが可能な状態で遊技機メーカーに出荷する。
【００４９】
遊技機メーカーでは、錠メーカーから入荷したシリンダ錠９を遊技機に取り付けて遊技店に対して出荷する。この際、シリンダ錠９はテストコードで出荷されるとともに、シリンダ錠９の鍵穴を被覆する形態にてキーコードが未設定状態である旨、すなわちホールキーを用いて任意にキーコードを設定することが可能な状態である旨を示す封印シールを貼り付けた状態で遊技店に出荷される。このため、遊技機が遊技店に入荷された際に、ホールキーを用いて任意にキーコードを設定することが可能な状態である旨を明確に認識させることができる。尚、封印シールは、シリンダ錠９の製造後初めて遊技機に取り付けられて遊技店に出荷されるときのみ貼り付けられるようにしても良く、このようにすれば、当該シリンダ錠９が新品である旨を認識させることができる。
【００５０】
また、遊技機の出荷時に、当該遊技機のシリンダ錠９の２次元コードから錠ＩＤを読み取るとともに、当該遊技機の出荷日と当該遊技機を出荷する遊技店の出荷先ＩＤを入力し、読み取った錠ＩＤと入力した出荷日及び出荷先ＩＤからなる入力データを記録媒体に記録して錠メーカーに提供する。
【００５１】
一方、錠メーカーは、遊技機メーカーから提供された入力データに基づいて錠管理データベースの登録情報を更新する。すなわち錠管理テーブルに登録された錠ＩＤに対応するシリンダ錠９を取り付けた遊技機の出荷先を更新する。
【００５２】
このように、本実施例では、これら入力データを記録媒体に記録して錠メーカーに提供し、錠メーカーでは提供された記録媒体に記録された入力データに基づいて錠管理データベースを更新しているが、例えば、インターネット等の通信網を介して錠メーカーに送信するようにしても良く、このようにすれば、遊技機メーカーから錠メーカーに対して遊技機の出荷先データを配信し、錠管理データベースの登録情報を自動的に更新させることも可能となり、これら錠管理データベースの更新作業を簡素化することができる。
【００５３】
遊技機メーカーからシリンダ錠９がテストコードの状態で入荷した遊技店では、当該遊技店が所有するホールキー１０を用いてキーコードの設定を行う。これにより、当該遊技店が所有するホールキー１０を用いてのみシリンダ錠９の施錠及び解錠を行うことが可能となる。また、遊技店から撤去された遊技機は、当該遊技店の所在地域に分類されるリサイクル処理業者によって回収される。
【００５４】
リサイクル処理業者は、遊技店より回収した遊技機からシリンダ錠９を取り外すとともに、遊技機から取り外されたシリンダ錠９は、直接、または遊技機メーカーを介して錠メーカーに返却される。尚、遊技機から取り外されたシリンダ錠９は、テストコードに戻されているものと、回収元の遊技店のホールキー１０のキーコードが設定された状態のものと、が混在した状態で、錠メーカーに返却される。
【００５５】
錠メーカーは、リサイクル処理業者より返却されたシリンダ錠９の再利用が可能か否かを判定し、再利用が可能であればキーコードを解除して未設定化する。すなわち再びテストコードに戻す。そして再び遊技機メーカーに対して出荷して再利用される。また、リサイクル処理業者より返却されたシリンダ錠９には、前述のようにテストコードに戻されているものと、ホールキー１０のキーコードが設定された状態のものと、が混在しているため、これらのうち、ホールキー１０のキーコードが設定された状態のシリンダ錠９をテストコードに戻すためには、錠メーカーが保管・管理するマスターキーのうち、当該ホールキー１０と同一のキーコードを有するマスターキーを用いてキーコードを解除する必要がある。この際、錠管理コンピュータ１００の２次元コードリーダ１０６によりシリンダ錠９の２次元コードを読み取ることで、当該シリンダ錠９に設定されたキーコードのキーＮｏ．が読取結果画面として出力されるため、当該シリンダ錠９のキーコードを解除するのに必要なマスターキーを簡単に特定することが可能となる。更に、読取結果画面では、当該シリンダ錠９の利用期間や出荷回数、再利用可否判定の結果がキーＮｏ．とともに出力されるため、再利用が可能か否かの判定も容易に行うことができる。
【００５６】
以上説明したように、本実施例では、遊技機に取り付けられたシリンダ錠９がテストコードの状態においてホールキーを用いて当該ホールキーのキーコードが設定されることで、当該ホールキーのみを用いて解錠及び施錠を行うことが可能となり、テストコードのシリンダ錠９が取り付けられた遊技機を遊技店に出荷することで、遊技店では当該遊技店が所有するホールキーを用いてシリンダ錠９に当該ホールキーのキーコードを設定することができるため、遊技店毎に、遊技機のシリンダ錠９の解錠及び施錠に使用できる鍵を自由に設定することができる。
【００５７】
また、錠管理コンピュータ１００にて、遊技機の出荷時に当該遊技機に設けられたシリンダ錠９を特定可能な錠ＩＤと、当該遊技機が出荷された遊技店が使用しているホールキーのキーコードを特定可能なキーＮｏ．と、が対応付けて管理されているため、錠メーカーにおいては遊技店から回収された遊技機から取り外されて返却されてきたシリンダ錠９がキーコードが設定されたままの状態で返却された場合でも、当該シリンダ錠９の錠ＩＤを指定するのみで当該錠ＩＤのシリンダ錠９が取り付けられて出荷された遊技機が出荷された遊技店が使用しているホールキーのキーＮｏ．、すなわちキーコードをテストコードに戻すのに必要な鍵のキーコードが形成されたマスターキーのキーＮｏ．を示す読取結果画面が出力され、当該マスターキーを特定できるため、ホールキーのキーコードが設定された状態で返却されたシリンダ錠９のリサイクルに係る作業効率を高めることができる。
【００５８】
また、本実施例では、錠メーカーに返却されたシリンダ錠９の錠ＩＤを指定する際に、２次元コードを非接触にて読取可能な２次元コードリーダ１０６を用いて当該シリンダ錠９に添付された２次元コードを読み取るのみで検索対象の錠ＩＤを指定することができるため、シリンダ錠９のリサイクルに係る作業を一層簡便に行うことができる。
【００５９】
尚、本実施例では、錠ＩＤが非接触にて読取可能に記録された情報記録部として少ないスペースで大容量の情報を記録できる２次元コードが適用されており、シリンダ錠９の限られたスペースに無理なく添付することができることから好ましいが、シリンダ錠９に十分な添付スペースを確保できる場合には、１次元コードを添付して、バーコードリーダにて錠ＩＤを非接触にて読み取れるようにしても同様の効果を得られる。更には、シリンダ錠９に錠ＩＤが記録されたＩＣタグを取り付けて、ＩＣリーダにて錠ＩＤを非接触にて読み取れるようにしても同様の効果を得られる。また、ＩＣタグ等の記憶部から錠ＩＤを読み取る場合には、接触式のリーダにて読み取るようにしても良い。
【００６０】
また、本実施例の錠管理コンピュータ１００は、錠ＩＤに対応付けて当該錠ＩＤのシリンダ錠９の利用期間や再利用した回数からなる再利用履歴が管理され、返却されてきたシリンダ錠９の錠ＩＤを指定することで、当該錠ＩＤに対応して管理されている再利用履歴が出力されるため、返却されてきたシリンダ錠９の消耗度合いを判断して再利用に適するか否かを容易に判定することができる。
【００６１】
更に、これら再利用履歴に加えて、これら再利用履歴が再利用に耐えうる条件を満たしているか、すなわち、指定された錠ＩＤのシリンダ錠９の利用期間が消耗期間に到達しているか否かや、再利用した回数（出荷回数）が消耗回数に到達しているか否か、が判定され、これらの判定に基づき指定された錠ＩＤに対応付けて当該錠ＩＤのシリンダ錠９の再利用の可否判定の結果が出力されるため、出力された判定結果に基づいて当該シリンダ錠９が再利用に適しているか否かを容易に判定することができる。
【００６２】
また、本実施例の錠管理コンピュータ１００では、錠ＩＤに対応付けて当該錠ＩＤのシリンダ錠９を取り付けた遊技機の出荷先の所在地域が管理されており、返却されたシリンダ錠９の錠ＩＤを指定する際に、更に回収地域を指定することで、検索対象となる錠ＩＤが絞り込まれるため、錠管理コンピュータ１００の処理不可を軽減できるうえに、キーＮｏ．の抽出速度を大幅に向上させることができる。
【００６３】
以上、本発明の実施例を図面により説明してきたが、本発明はこの実施例に限定されるものではなく、本発明の主旨を逸脱しない範囲における変更や追加があっても本発明に含まれることは言うまでもない。
【００６４】
例えば、前記実施例では、シリンダ錠９をスロットマシン１に取り付けて使用しているが、パチンコ機にシリンダ錠９を取り付けて使用するようにしても良い。更に、シリンダ錠９を、メダル計数器や球計数器のスイッチに連動して設けたり、遊技機の周辺機器の扉の解錠及び施錠を行うために設けたりしても良く、これにより、前述したメダル計数器や玉計数機のスイッチ操作や周辺機器の扉の解錠及び施錠を、遊技機のシリンダ錠９の解錠及び施錠を行うためのホールキーで行うことができる。すなわち係員が管理する鍵を少なくすることができる。
【００６５】
また、前記実施例では、錠管理コンピュータ１００にて錠ＩＤを指定する際に、２次元コードリーダ等の非接触読取装置を用いて錠ＩＤを読み取るようにしているが、例えば、シリンダ錠９に記載された錠ＩＤを入力装置１０７にて入力するようにしても良い。
【００６６】
また、前記実施例では、錠管理コンピュータ１００を錠メーカーに設置する例について説明したが、遊技機メーカーがシリンダ錠９のキーコードを解除する作業を行う場合には、遊技機メーカーに設置しても良い。
【００６７】
また、前記実施例の錠管理コンピュータ１００は、錠ＩＤ毎に、当該錠ＩＤのシリンダ錠９が最初に取り付けられた遊技機が遊技店へ出荷された日付を示す初出荷日を管理し、初出荷日に基づいて利用期間を特定しているが、例えば、錠メーカーから遊技機メーカーへの初出荷日に基づいて利用期間を特定できるようにしても良い。また、利用期間から、錠メーカーまたは遊技機メーカーに在庫として保管されている期間を除いても良く、これにより正確な利用期間を特定できる。また、錠管理コンピュータ１００は、錠ＩＤ毎に、当該錠ＩＤのシリンダ錠９が遊技機に取り付けられて遊技店へ出荷された回数を示す出荷回数を管理し、出荷回数に基づいて再利用回数を特定しているが、例えば、錠メーカーから遊技機メーカーに出荷された回数や錠メーカーに返却された回数に基づいて再利用回数を特定するようにしても良い。
【００６８】
前記実施例における各要素は、本発明に対して以下のように対応している。
【００６９】
本発明の請求項１は、遊技機本体（本体２）に対して取り付けられた開閉扉（前面扉３）の施錠及び解錠を行うための施錠装置（シリンダ錠９）であり、該施錠装置に特定のキーコード（ホールキー１０のキーコード）が設定されていない未設定状態（テストコードが設定されている状態）において、予め遊技店が所有する鍵（ホールキー１０）を用いて前記キーコードの設定操作（ホールキー１０を挿入して半回転させる操作）を行うことにより当該鍵のキーコードが設定され、該設定されたキーコードに対応した鍵を用いてのみ解錠を行うことが可能な設定状態（キーコードの設定状態）とするキーコード設定手段（キーコードの設定機構）と、前記施錠装置に設定されているキーコードに対応した鍵を用いて前記キーコードの解除操作（設定解除操作部１８を押し下げて設定解錠位置までホールキー１０を回転させる操作）を行うことにより前記設定状態を前記未設定状態に戻すことが可能なキーコード解除手段（キーコード解除機構）と、を含む施錠装置の管理を行う管理装置（錠管理コンピュータ１００）及び該管理装置にて管理される施錠装置を備える遊技機（スロットマシン１、パチンコ機）であって、前記管理装置は、前記施錠装置を個々に特定可能な施錠装置特定情報（錠ＩＤ）及び当該遊技機の出荷先の遊技店が所有する鍵（ホールキー１０）に形成されたキーコードを特定可能なキーコード特定情報（キーＮｏ．）を入力する入力手段｛ＣＰＵ１０２（データ更新処理）｝と、該入力手段にて入力された前記施錠装置特定情報と前記キーコード特定情報とを対応付けて記憶する記憶手段｛記憶装置１０５（錠管理データベース）｝と、遊技店から回収された前記施錠装置の前記施錠装置特定情報を指定する施錠装置特定情報指定手段｛ＣＰＵ１０２（読取判定処理にて錠ＩＤを特定する処理）｝と、該施錠装置特定情報指定手段にて指定された施錠装置特定情報に対応付けて前記記憶手段に記憶されている前記キーコード特定情報を抽出する抽出手段｛ＣＰＵ１０２（読取判定処理にて錠ＩＤからキーＮｏ．を検索する処理）｝と、該抽出手段にて抽出された前記キーコード特定情報を出力する出力手段｛ＣＰＵ１０２（読取判定処理にて読取結果画面を出力する処理）｝と、を備える。
【００７０】
本発明の請求項２は、前記施錠装置（シリンダ錠９）は、該施錠装置の施錠装置特定情報（錠ＩＤ）が読取可能に記録された情報記録部（２次元コード）を有し、前記施錠装置特定情報指定手段｛ＣＰＵ１０２（読取判定処理にて錠ＩＤを特定する処理）｝は、前記情報記録部に記録された施錠装置特定情報を読取可能な読取手段（２次元コードリーダ１０６）を含み、該読取手段にて読み取った前記施錠装置特定情報が指定される。
【００７１】
本発明の請求項３は、前記記憶手段｛記憶装置１０５（錠管理データベース）｝は、前記施錠装置特定情報（錠ＩＤ）に対応付けて、該施錠装置特定情報により特定される施錠装置（シリンダ錠９）の再利用履歴｛初出荷日（利用期間）、出荷回数｝を記憶し、前記抽出手段｛ＣＰＵ１０２（読取判定処理にて錠ＩＤからキーＮｏ．を検索する処理）｝は、前記施錠装置特定情報指定手段｛ＣＰＵ１０２（読取判定処理にて錠ＩＤを特定する処理）｝にて指定された施錠装置特定情報に対応付けて前記記憶手段に記憶されている前記再利用履歴を抽出し、前記出力手段｛ＣＰＵ１０２（読取判定処理にて読取結果画面を出力する処理）｝は、前記抽出手段にて抽出された前記再利用履歴を出力する。
【００７２】
本発明の請求項４は、前記記憶手段｛記憶装置１０５（錠管理データベース）｝は、前記施錠装置特定情報（錠ＩＤ）に対応付けて、該施錠装置特定情報により特定される施錠装置（シリンダ錠９）の再利用履歴｛初出荷日（利用期間）、出荷回数｝を記憶し、前記抽出手段｛ＣＰＵ１０２（読取判定処理にて錠ＩＤからキーＮｏ．を検索する処理）｝は、前記施錠装置特定情報指定手段｛ＣＰＵ１０２（読取判定処理にて錠ＩＤを特定する処理）｝にて指定された施錠装置特定情報に対応付けて前記記憶手段に記憶されている前記再利用履歴を抽出し、前記管理装置（錠管理コンピュータ１００）は、前記抽出手段にて抽出された再利用履歴に基づき当該施錠装置特定情報により特定される施錠装置が再利用可能か否かを判定する判定手段｛ＣＰＵ１０２（読取判定処理にて利用期間が消耗期間に到達しているか、利用回数が消耗回数に到達しているか、を判定する処理）｝を更に備え、前記出力手段｛ＣＰＵ１０２（読取判定処理にて読取結果画面を出力する処理）｝は、前記判定手段による判定結果を出力する。
【００７３】
本発明の請求項５は、前記記憶手段｛記憶装置１０５（錠管理データベース）｝は、前記施錠装置特定情報（錠ＩＤ）に対応付けて、該施錠装置特定情報により特定される施錠装置（シリンダ錠９）を備える遊技機（スロットマシン１、パチンコ機）が出荷された遊技店の地域を特定可能な地域特定情報（所在地域）を記憶し、前記施錠装置特定情報指定手段｛ＣＰＵ１０２（読取判定処理にて錠ＩＤを特定する処理）｝は、地域を指定可能であり、前記抽出手段｛ＣＰＵ１０２（読取判定処理にて錠ＩＤからキーＮｏ．を検索する処理）｝は、該施錠装置特定情報指定手段にて地域が指定されたときに、該指定された地域に対応する地域特定情報（所在地域）が対応付けて記憶されている前記キーコード特定情報（キーＮｏ．）から前記施錠装置特定情報指定手段にて指定された施錠装置特定情報に対応付けて記憶されている前記キーコード特定情報を抽出する。
【００７４】
本発明の請求項６は、前記遊技機（スロットマシン１、パチンコ機）は、前記施錠装置（シリンダ錠９）が未設定状態（テストコードが設定されている状態）で遊技店に出荷されるとともに、前記施錠装置の鍵穴（キー挿入穴９ａ）に前記未設定状態である旨を示す封印部材（封印シール）が取り付けられた状態で遊技店に出荷される。
【００７５】
本発明の請求項７は、前記開閉扉（前面扉３）は、閉状態において前記遊技機本体側（本体２）に係合する係合部材（係止爪２０）と、前記施錠装置（シリンダ錠９）の施解錠動作が行われたときのみ前記係合部材による係合または係合の解除が行われるように前記施錠装置と前記係合部材とを連結する連結機構（第１作動板１３）と、を備える。
【図面の簡単な説明】
【００７６】
【図１】本発明が適用された実施例のスロットマシンの全体斜視図である。
【図２】（ａ）は、スロットマシンの施錠機構の裏面図であり、（ｂ）は、施錠機構の側面図である。
【図３】図２（ｂ）の要部拡大図である。
【図４】図２（ａ）の要部拡大図である。
【図５】シリンダ錠のキーコードの解除要領を示す図である。
【図６】シリンダ錠のキーコードの設定要領を示す図である。
【図７】本発明が適用された実施例の錠管理コンピュータの構成を示す図である。
【図８】錠管理コンピュータが備える錠管理データベースの登録内容を示す図である。
【図９】錠管理コンピュータのＣＰＵが行う読取判定処理の制御内容を示すフローチャートである。
【図１０】錠管理コンピュータの表示装置に出力される読取結果画面を示す図である。
【図１１】シリンダ錠の流通形態の一例を示す図である。
【符号の説明】
【００７７】
１  スロットマシン、２  本体、３  前面扉、９  シリンダ錠、９ａ  キー挿入穴、１０（１０’）  ホールキー、１３  第１作動板、１８  設定解除操作部、１００  錠管理コンピュータ、１０２  ＣＰＵ、１０５  記憶装置（錠管理データベース）、１０６  ２次元コードリーダ、１０９  記録媒体処理装置
【図１】
2005124849.tif 000003
【図２】
2005124849.tif 000004
【図３】
2005124849.tif 000005
【図４】
2005124849.tif 000006
【図５】
2005124849.tif 000007
【図６】
2005124849.tif 000008
【図７】
2005124849.tif 000009
【図８】
2005124849.tif 000010
【図９】
2005124849.tif 000011
【図１０】
2005124849.tif 000012
【図１１】
2005124849.tif 000013